(57)【特許請求の範囲】
【請求項１】
採便スチックにより採取した糞便を懸濁させる便懸濁溶液を収容した便懸濁液室に、該便懸濁液室内に没入するフィルタ部と液溜部を有する濾液受容体を押し込み自在に装着し、濾液受容体の押し込み操作に伴なって便懸濁液室に没入するフィルタ部と液溜部により便懸濁液室からフィルタ部を通して便懸濁濾液を液溜部に溜める押し込み強制濾過構造を有する採便容器。
【請求項２】
請求項１に記載の押し込み強制濾過構造を有する採便容器において、便懸濁液室と濾液受容体との境界において、便懸濁液室に切破用被膜部を設けると共に、濾液受容体に押し込みと同時に前記切破用被膜部を破る切り刃部を設けてなる押し込み強制濾過構造を有する採便容器。
【請求項３】
請求項１又は２に記載の採便容器において、便懸濁液室の内周と濾液受容体のフィルタ部及び液溜部の外周とが相互に押し込み自在に液密に嵌着する液密押し込み構造を有することを特徴とする押し込み強制濾過構造を有する採便容器。
【請求項４】
請求項１、２又は３に記載の採便容器において、濾液受容体の便懸濁液室内に没入するフィルタ部と液溜部の上部に押し込み操作部を兼ねた液溜拡張部を設けたことを特徴とする押し込み強制濾過構造を有する採便容器。
【請求項５】
請求項１、２、３又は４に記載の採便容器において、便懸濁液室の外周に係止段筒部とそれに連続して押し込み案内筒部を設ける一方、濾液受容体に、前記係止段筒部の外周に弾性的に嵌着し押し込み操作に伴って弾性変形を伴って前記係止段筒部を離脱しそれに連続する前記押し込み案内筒部に嵌合する押し込み規制枠部を設けたことを特徴とする押し込み強制濾過構造を有する採便容器。
【請求項６】
請求項５に記載の採便容器において、濾液受容体に、前記係止段筒部の外周に弾性的に嵌着し押し込み操作に伴って外方に拡張する弾性変形を伴って前記係止段筒部を離脱しそれに連続する前記押し込み案内筒部に嵌合する押し込み規制枠部を設け、前記係止段筒部に嵌合した位置で押し込み規制枠部の外周に離脱自在に安全係止環体を装着したことを特徴とする押し込み強制濾過構造を有する採便容器。
【請求項７】
請求項１、２、３、４、５又は６に記載の採便容器において、便懸濁液室を有する採便容器本体がほぼ円筒状をなし、その一端に設けた濾液受容体がほぼ連続した形状を有する円筒状をなし、その他端に設けた採便スチックが同様にほぼ連続した形状を有する円筒状をなし、全体として試験管形状をなすことを特徴とする押し込み強制濾過構造を有する採便容器。
【発明の詳細な説明】
【０００１】
【発明の属する技術分野】
本発明は、採便スチックで採取した糞便を回収、運搬、検査するため保存し、便内潜血検出等に使用するようにした採便容器に関し、特には、上向きに開口した試験管のような容器に収納した便懸濁濾液を、上方からノズルで吸引して検査機に取り込み、便の潜血判定をする一般汎用の自動分析機等に使用するもので、試験管を使うことなく直接に使用して便利な押し込み強制濾過構造を有する採便容器に関する。
【０００２】
【従来の技術】
従来、この種の採便容器は色々と提案されているが、従来の採便容器は、例えば、特公平７ー５０１０６号公報に記載のように、円筒状の容器本体に糞便を懸濁させる便懸濁溶液を収容した便懸濁液室を設け、その一端部側から採便スチックを有するキャップを密封状態で装着し、採便スチックの先端に付着した糞便を懸濁し、その他端部側に内部にフィルタを備えた適下部を有するキャップを密封状態で装着し、キャップに孔を開けて、柔軟なプラスチック等からなる便懸濁液室を外側から押圧して、その押圧力により室内の懸濁液をフィルタを通して適下部から外部に適下するものであり、特開平８ー５４３９０号公報に記載のように、円筒状の第１容器に糞便を懸濁させる便懸濁溶液を収容した便懸濁液室を設け、その便懸濁液室の一端部側にはフィルムで封鎖された連通孔が設けてあると共に、便懸濁液室の他端部側には採便スチックを有するキャップが密封状態で装着され、採便スチックの先端に付着した糞便を第１容器内で懸濁することができる一方、第１容器の前記一端部側には内部にフィルタと検出反応素子を備えた第２容器が着脱自在に設けてあり、第１容器のフィルムを有する連通孔に相対した第２容器の連通孔には該フィルムを破断する突起部が設けてあって、第１容器と第２容器との密着嵌合時に、フィルムが破断して相互に連通する前記連通孔を通して、上方に位置する第１容器の懸濁液が重力の作用により下方に位置する第２容器内に流出するものである。
【０００３】
【発明が解決しようとする課題】
前述の如く、従来の採便容器では、上部位置の便懸濁液室から下部位置のフィルタ部を通して便懸濁液を便懸濁液室の外側から加える押圧力又は重力に従って上から下に注出するものであるから、上向きに開口した試験管のような容器に収納した便懸濁濾液を、上方からノズルで一定量吸引して検査機に取り込み、光学的な吸光度から濁度を数値的に判定して定量的に便の潜血判定をするような一般汎用の自動分析機に使用するためには、採便容器から上向きに開口した試験管のような容器に便懸濁濾液を適下して収容する作業工程を追加して行わなければならないこととなり、手間暇が掛かり、その間の状況を考慮すると非能率的で到底採用することができない。
【０００４】
【課題を解決するための手段】
そこで、本発明は、採便スチックにより採取した糞便を懸濁させる便懸濁溶液を収容した便懸濁液室に、該便懸濁液室内に没入するフィルタ部と液溜部を有する濾液受容体を押し込み自在に装着し、濾液受容体の押し込み操作に伴なって便懸濁液室に没入するフィルタ部と液溜部により便懸濁液室からフィルタ部を通して便懸濁濾液を液溜部に溜める押し込み強制濾過構造を有する採便容器を提供するものである。
この本発明に係る採便容器によれば、便懸濁溶液を収容した便懸濁液室に装着した濾液受容体を押し込み操作すると、便懸濁液室内に没入したフィルタ部及び液溜部によって排除された便懸濁溶液はその押し込み圧によって重力に逆らって強制的にフィルタ部を通して液溜部に流入し、上向きに開口したような液溜部にも濾液が溜められることとなり、この便懸濁濾液を、上方からノズルで一定量吸引して容易に自動分析機に取り込むことができる。
【０００５】
また、本発明は、採便スチックにより採取した糞便を懸濁させる便懸濁溶液を収容した便懸濁液室に、該便懸濁液室内に没入するフィルタ部と液溜部を有する濾液受容体を押し込み自在に装着する一方、前記便懸濁液室と濾液受容体との境界において、便懸濁液室に切破用被膜部を設けると共に、濾液受容体に押し込みと同時に前記切破用被膜部を破る切り刃部を設けてなる押し込み強制濾過構造を有する採便容器を提供するものであり、これによって、押し込み前には、便懸濁室を切破用被膜部により確実に封鎖しておくことができ、濾液受容体を便懸濁液室内に押し込むときに同時に切り刃部で切破用被膜部を破り、フィルタ部と液溜部を便懸濁液室に円滑に没入させることができる。
【０００６】
また、本発明は、上記の採便容器において、便懸濁液室の内周と濾液受容体のフィルタ部及び液溜部の外周とが相互に押し込み自在に液密に嵌着する液密押し込み構造を有することを特徴とする押し込み強制濾過構造を有する採便容器を提供するものであり、これによって便懸濁液室に濾液受容体のフィルタ部及び液溜部を液密に便懸濁液が押し込み嵌合部から外部に漏出しないように押し込むことができると共に、押し込みに伴って便懸濁液を強制的にフィルタ部で濾過して液溜部に溜めることができ、液溜部に溜まった便懸濁濾液は重力によって逆流することがない。
また、本発明は、上記の採便容器において、濾液受容体の便懸濁液室内に没入するフィルタ部と液溜部の上部に、押し込み操作部を兼ねた液溜拡張部を設けたことを特徴とする押し込み強制濾過構造を有する採便容器を提供するものであり、これによって、液溜拡張部を押し込み操作部として押し込み操作に使用することができると共に、衝撃や振動等により液溜部から便懸濁濾液が外部に漏出する畏れがなくなる。
【０００７】
また、本発明は、上記の採便容器において、便懸濁液室の外周に係止段筒部とそれに連続して押し込み案内筒部を設ける一方、濾液受容体に、前記係止段筒部の外周に弾性的に嵌着し押し込み操作に伴って外方に拡張する弾性変形を伴って前記係止段筒部を離脱しそれに連続する前記押し込み案内筒部に嵌合する押し込み規制枠部を設けたことを特徴とする押し込み強制濾過構造を有する採便容器を提供するものであり、これによって、濾液受容体を便懸濁液室の外周に設けた係止段筒部とそれに連続する押し込み案内筒部によって、押し込み自在に案内することができる。また、これによって、前記便懸濁液室と濾液受容体とが離れた位置で相互の位置を保たれるから、前述の如く、その境界において、便懸濁液室の上端部に切破用被膜部を設けることができ、濾液受容体に切り刃部を設けることができ、切り刃部を前記切破用被膜部の近傍に位置せしめて押し込みと同時にこれを破ることができる。
【０００８】
また、係止段筒部に嵌合した位置で濾液受容体に設けた押し込み規制枠部の外周に安全係止環体を装着する構成にすることができ、このことによって、押し込み規制枠部が弾性変形して外方に拡張するのを阻止し、本発明採便容器を押し込み前の状態で製造、包装、運搬、市販するとき等に、濾液受容体の押し込み規制枠部が係止段筒部から離脱し、便懸濁液室から外れたり、押し込まれたりするのを防止することができると共に、検査時に安全係止環体を取り外して濾液受容体を円滑に容易に押し込み操作することができる押し込み強制濾過構造を有する採便容器を提供することができる。
【０００９】
また、本発明は、上記の採便容器において、便懸濁液室が円筒状をなし、その一端に設けた濾液受容体がほぼ連続した形状を有する円筒状をなし、その他端に設けた採便スチックが同様にほぼ連続した形状を有する円筒状をなし、全体として試験管形状をなすことを特徴とする押し込み強制濾過構造を有する採便容器として構成することにより、上向きに開口した試験管のような容器に収納した便懸濁濾液を、開口部上方からノズルで一定量吸引して検査機に取り込み、光学的な吸光度から濁度を数値的に判定して定量的に便の潜血判定をするような最も一般的な自動分析機に使用するのに適した採便容器を提供することができる。
【００１０】
【発明の実施の形態】
以下図示する実施例により、本発明に係る押し込み強制濾過構造を有する採便容器を詳細に説明すると、１０は、採便スチック２０により採取した糞便を懸濁させる便懸濁溶液Ａを収容した便懸濁液室１を具備する採便容器本体で、ポリエチレン、ポリ塩化ビニル、ポリプロピレン等のプラスチック一体成形品からなる。便懸濁液室１内に便懸濁溶液Ａを採取した糞便とを懸濁するため、ある程度の空間を設けることは勿論可能である。採便容器本体１０には、前記便懸濁液室１内に没入するフィルタ部３１と液溜部３２を有する濾液受容体３０を押し込み自在に装着してあり、便懸濁液室１内に没入する濾液受容体３０のフィルタ部３１と液溜部３２の構成容積部分によって排除された便懸濁液がフィルタ部３１を通して液溜部３２に強制的に押し出されて便懸濁濾液Ｂを液溜部３２に溜めることができる押し込み強制濾過構造を具備している。
なお、濾液受容体３０の液溜部３２は、その構成部分の全てが便懸濁液室１内に没入するのではなく、図２に記載のように、液溜部３２の下部３２ａが没入するのであって、フィルタ部３１を通して液溜部３２に強制的に押し出された便懸濁濾液Ｂは液溜部３２の下部３２ａ及び上部３２ｂと、場合によっては、その上方延設部である液溜拡張部３３に溜めるられるのである。従って、本発明において、便懸濁液室１内に没入する液溜部３２を有する濾液受容体３０とある記載は、便懸濁液室１内にその一部が没入する液溜部３２を有する濾液受容体３０と解すべきである。
【００１１】
便懸濁液室１内に没入する濾液受容体３０の没入するフィルタ部３１及び液溜部３２の容積は、便懸濁液室１の容積のほぼ１／５〜４／５、好ましくは、１／３〜２／３に構成してあり、図示の実施例では、図２に示すように、ほぼ１／２の容積を占めるように構成してある。濾液受容体３０に没入するフィルタ部３１及び液溜部３２の外周と便懸濁液室１の内周とは相互に押し込み自在に液密に嵌着する液密押し込み構造を有し、実施例では、便懸濁液室１の上部に内段部３を介して内径を拡張して設けた嵌合内筒部４に、濾液受容体３０に没入するフィルタ部３１及び液溜部３２の外周筒部３５が液密に嵌合している。
従って、特許請求の範囲の請求項１に記載の構成のように、後述する便懸濁液室１と濾液受容体３０との境界において、便懸濁液室１に切破用被膜部２が存在せず、濾液受容体３０に切り刃部３４が存在しない構成の場合には、便懸濁液室１の嵌合内筒部４の上部に濾液受容体３０の外周筒部３５の下部が浅く嵌合した状態で、便懸濁溶液Ａがフィルタ部３４の直下に位置しており、押し込み操作にともなって、便懸濁液室１内に濾液受容体３０のフィルタ部３１と液溜部３２が没入する構成とし、没入と同時にその構成容積部分によって排除された便懸濁液がフィルタ部３１を通して液溜部３２に強制的に押し出されて便懸濁濾液Ｂを液溜部３２又はそれに連なる液溜拡張部３３に溜める構成とすることができる。
この場合、押し込み前の便懸濁溶液Ａの液溜部３２への漏出防止に関しては、フィルタ部３１のフィルタの濾材を密にしたりフィルタ部３１の流通孔３７を細くする等の対策の他、液溜部３２にキャップやキャップに代わるシールを施して気密を維持する等の対策を立てることができると共に、フィルタ部３１を収容する内筒部３６に押し込みに伴って押し込み圧で破れるような薄い弱い被膜を施す等の対策が可能である。
【００１２】
図示の実施例の場合、前記便懸濁液室１と濾液受容体３０との境界において、便懸濁液室１には切破用被膜部２を設けてあると共に、濾液受容体３０には押し込みと同時に前記切破用被膜部２を破る切り刃部３４を設けてある。切破用被膜部２としては、ガスバリヤ性及び液密性の有る合成樹脂製のシールフィルムを用いることができるが、実施例の場合、強度、気密性、液密性及び切破性の点で優れたアルミシールから構成してあり、その外周部を便懸濁液室１の筒頂部の肩凹段部５に接着剤、熱溶着、一体成形手段等により強固に取り付けてある。
押し込み時において、切破用被膜部２は中央部を切り刃部３４により破断されるが、周辺部は便懸濁液室１の筒頂部の肩凹段部５に強固に取り付けられた状態で、その破断片が便懸濁液内に散乱することなく、気密・液密パッキングのように便懸濁液室１の嵌合内筒部４と濾液受容体３０の外周筒部３５の間を密封し、その気密性及び液密性を維持することとなる。
【００１３】
フィルタ部３１と切り刃部３４とは、同じ内径の内筒部３６を具備し、その内筒部３６は更に内径を段状に狭めて設けた連通孔３７を介してその上部の液溜部３２に連通しており、フィルタ部３１は内筒部３６の内奥に前記連通孔３７に面して設けてある一方、切り刃部３４は内筒部３６の先端を逆Ｖ字状に切り欠いて円弧状に向かい合う鋭利な刃先を形成している。前記連通孔３７には十文字状等の支持枠を設けても良い。なお、内筒部３６の先端に設けた切り刃部３４の刃先の形状は、切破用被膜部２が切り裂かれるだけで固定周辺部から切り取られないように、切破用被膜部２の素材、強度等の条件によって、鋸の刃のようなギザギザ型、円筒端部から針状の鋭端を延設した型、円筒端部から軸心に向かって枝を延ばし錐状に先を尖らせた型等の適宜の構成を採用することができる。
切り刃部３４を構成する内筒部３６は外径が小さく構成してあり、前記外周筒部３５には濾液受容体３０の押し込み終端位置において便懸濁液室１の内段部３に液密に当接する密封段部３８を介して連結してある。
フィルタ部３１は内奥側に濾過孔の密な密フィルタ３１ａ、切り刃部３４側に目の粗い粗フィルタ３１ｂを設けてあり、目詰まりを起こさないで濾過できるように構成してある。フィルタ３１ａ、３１ｂとしては、スポンジ、合成樹脂製濾材等の多孔性物質や、グラスウール、濾紙、脱脂綿等の繊維性物質等の適宜な濾材が採用できる。
また、濾液受容体３０の便懸濁液室１内に没入する液溜部３２の上部に設けた液溜拡張部３３は、押し込み操作部を兼ねて設けてあり、液溜拡張部３３の筒頂部の縁辺部には、筒頂部を覆って押し込み操作するときに、フィルタ部３１を通過する濾液に押し戻す方向の気圧が加わらないように空気抜き部として空気抜き用の切欠３９が設けてある。なお、液溜拡張部３３には押し込み操作前に取り外すことができるキャップ又はキャップに代わる密封シール等を設けることができる。
【００１４】
また、上記の採便容器本体１０において、便懸濁液室１の外周には、係止段筒部６とそれに連続して押し込み案内筒部７を設ける一方、濾液受容体３０には、前記係止段筒部６の外周に弾性的に嵌着し押し込み操作に伴って外方に拡張する弾性変形を伴って前記係止段筒部６を離脱しそれに連続する前記押し込み案内筒部７に嵌合する押し込み規制枠部１３を設けてある。実施例の場合、便懸濁液室１の外周に設けた係止段筒部６は、便懸濁液室１の上部に内段部３を介して内径を拡張して設けた嵌合内筒部４の外周に位置して段部１２の上方に設けてあると共に、押し込み案内筒部７は段部１２を境にその下方の便懸濁液室１の外周に位置して同軸状に設けてある。係止段筒部６は第１、第２の凹段部８、９とその中間の中間凹部１１とからなり、これに対して濾液受容体３０の前記外周筒部３５及び内筒部３６の外方に沿った下方に、押し込み規制枠部１３の第１、第２の２段の嵌合突起１４、１５が嵌合するように形成してあり、係止段筒部６の第１第２の凹段部８、９に、押し込み規制枠部１３の第１第２の嵌合突起１４、１５が嵌合した位置で、図１に示すように、便懸濁液室１に設けた切破用被膜部２の上方に濾液受容体３０に設けた切り刃部３４が位置するように構成してある。
【００１５】
そして、図２に示すように、濾液受容体３０の押し込みに伴って、押し込み規制枠部１３の第１第２の嵌合突起が係止段筒部６の第１第２の凹段部８、９を離脱して押し込み案内筒部７に沿って下降すると同時に、切り刃部３４が切破用被膜部２を切り破り、前記外周筒部３５の密封段部３８が内段部３に液密に当接する濾液受容体３０の押し込み終端位置において、押し込み規制枠部１３の下端部が押し込み案内筒部７の終端段部１６に当接するように構成してある。前記係止段筒部６の第１第２の凹段部８、９及び中間凹部１１は、押し込み方向に比較的なだらかに、引き抜き方向に比較的急勾配に構成してあり、押し込み操作に比較して引き抜き操作が困難なように構成してあり、採便操作時に誤って採便器本体１０から濾液受容体３０を容易に引き抜くことができないように構成してある。
【００１６】
更に、係止段筒部６の第１第２の凹段部８、９に、押し込み規制枠部１３の第１第２の嵌合突起１４、１５が嵌合した位置で、図８に示すように、押し込み規制枠部４２の外周に離脱自在に安全係止環体４０を装着した構成にすることができ、押し込み規制枠部１３が弾性変形して外方に拡張するのを阻止し、本発明採便容器を押し込み前の状態で製造、包装、運搬、市販するとき等に、濾液受容体３０の押し込み規制枠部１３が係止段筒部６から離脱し、便懸濁液室１から外れたり、押し込まれたりするのを防止することができると共に、検査時に安全係止環体４０を取り外して濾液受容体３０を円滑に容易に押し込み操作することができる押し込み強制濾過構造を有する採便容器を提供することができる。
【００１７】
実施例の場合、前記押し込み規制枠部１３は、濾液受容体３０の液溜部３２の上部３２ｂの下端部から、図４又は図６に記載のように、便懸濁溶液室１に没入するフィルタ部３１及び液溜部３２の外周筒部３５の外方に同心的に位置して設けた押し込み案内外筒部１７の下部に、切欠溝１８によって筒状部から両側を分離し前記嵌合突起１４、１５が外方に弾性変形可能に区画した円弧状枠体で構成してある。また、前記押し込み案内外筒部１７には、係止段筒部６が押し込み自在に嵌合し、図２に示すように、押し込み終端位置において、押し込み案内外筒部１７の内奥部１９に係止段筒部６の上端部が当接するように構成してある。
【００１８】
また、実施例の場合、係止段筒部６は、第１、第２の凹段部８、９とその中間の中間凹部１１の凹部以外の部分は押し込み案内外筒部１７に嵌合する筒状部をなし、凹段部８、９は、図６に示すように、押し込み規制枠部１３の横幅方向に円弧状をなす第１第２の嵌合突起１４、１５が嵌合して、押し込み方向には嵌合突起１４、１５を圧し広げる方向の力が働く比較的なだらかな傾斜面を有するものであるが、回転方向には嵌合突起１４、１５の横方向端部と急斜面で当接する回転阻止面を具備し、採便容器本体１０に対して濾液受容体３０が回転するのを強力に阻止するように構成してある。即ち、採便容器本体１０と濾液受容体３０は図１又は図８に示す押し込み前の嵌合状態では、回転力に対して一体に回転するように構成してある。４６は濾液受容体３０の液溜拡張部３３の筒部外壁に縦方向に所定間隔で設けた保持用突起である。
【００１９】
次に、上記本発明に係る採便容器において、前記濾液受容体３０を設けた一端に便懸濁溶液室１を有する採便容器本体１０の他端部には、採便スチック２０が設けてある。採便スチック２０は、図１、図２又は図７に示すように、先端部に採便部２１を有するスチック部２２と、採便容器本体１０にねじ込み固定するネジ部２３と、密封用のパッキングを施すことが可能な凹部２４を有する嵌着部２５と、取手部２６とからなる。ネジ部２３と、凹部２４を有する嵌着部２５と、取手部２６の中心部には取手部側から空洞部２７が設けてある。２８は取手部２６の周囲に設けた滑り止め凹凸状の滑り止め部である。採便部２１を有するスチック部２２の先端部は、採便容器本体１０の採便スチック取付筒部４１の区画壁部４２に設けた便掻き取り孔４３を貫通して便懸濁溶液室１内に突出して収容され、採便部２１の所定の、例えば２ｍｇ、容量を有する凹溝内に採便された糞便を所定の、例えば２ｍｌ、容量の便懸濁溶液Ａに溶解し、所定濃度の便懸濁液を得ることができるように構成してある。区画壁部４２の外側は便掻き取り孔４３によって掻き取られた余分な糞便の便収容空間部４４を構成している。前記採便スチック２０のスチック部２２とネジ部２３の間の中間段部２９は、前記便収容空間部４４の開口端部に嵌合しており、この中間段部２９を密封用のパッキングで構成することもできる。４５は前記ネジ部２３が螺合する着脱ネジ部である。
【００２０】
また、上記の実施例の採便容器本体１０において、便懸濁液室１、採便スチック取付筒部４１及び濾液受容体３０が円筒状をなすと共に、採便スチック２０の取手部２６がほぼ半球状の低部形状をなし、全体として試験管形状を構成している。そして、個々の部品は透明、半透明、不透明な合成樹脂の一体成形で加工し、採便容器本体１０の便懸濁液室１に便懸濁液Ａを充填し、採便スチック２０、濾液受容体３０を装着して組み立てることによって、図１に記載のような製品を完成することができる。
そして、図８に記載のように、濾液受容体３０の押し込み規制枠部１３の周囲に安全係止環体４０を装着し、採便容器本体１０の採便スチック取付筒部４１の周囲に使用者記録欄を設けた記録ラベル４７を貼着したものが使用者に提供される。使用者は、図８のように、採便スチック２０側を上方にして採便スチック取付筒部４１から採便スチック２０を、着脱ネジ部４５に対してネジ部２３を緩める方向に回転して取り外し、採便し、再度ねじ込んで装着して検査に回すことができる。そのとき、採便スチック２０のネジ部２３を採便スチック取付筒部４１の着脱ネジ部４５にねじ込んでいくと、採便部２１を有するスチック部２２の先端部は、採便スチック取付筒部４１の区画壁部４２に設けた便掻き取り孔４３を貫通して便懸濁溶液室１内に突出して収容され、採便部２１の凹溝内に残された所定の容量の糞便が所定の容量の便懸濁溶液Ａに溶解し、便懸濁液室１内に便懸濁液を得ることができる。なお、押し込み前において、採便容器本体１０の係止段筒部６の第１、第２の凹段部８、９と、濾液受容体３０の押し込み規制枠部１３の第１第２の嵌合突起１４、１５とが回転不能に一体に嵌合することにより、濾液受容体３０の保持用突起４６部分を持って採便スチック２０を採便容器本体１０に、着脱自在にねじ込み固定することができる。
【００２１】
次いで、検査場において、図１のように、濾液受容体３０の押し込み規制枠部１３の周囲から安全係止環体４０を離脱し、試験管立てのような支持枠等に、採便容器本体１０を濾液受容体３０を上向きに立てた状態で、濾液受容体３０を押し込み操作すると、図２に示すように、濾液受容体３０の押し込みに伴って、押し込み規制枠部１３の第１第２の嵌合突起１４、１５が係止段筒部６の第１第２の凹段部８、９を離脱して押し込み案内筒部７に沿って下降すると同時に、切り刃部３４が切破用被膜部２を切り破り、便懸濁液室１内に濾液受容体３０のフィルタ部３１と液溜部３２が没入すると、その構成容積部分によって排除された便懸濁液がフィルタ部３１を通して液溜部３２に強制的に押し出されて便懸濁濾液Ｂを液溜部３２又はそれに連なる液溜拡張部３３に溜めることができるのである。そして、上向きに開口した液溜部３２から便懸濁濾液Ｂを、開口上方からノズルで一定量吸引して容易に自動分析機に取り込むことができる。
【００２２】
【効果】
以上の通り、本発明に係る採便容器によれば、採便スチックにより採取した糞便を懸濁させる便懸濁溶液を収容した便懸濁液室に、該便懸濁液室内に没入するフィルタ部と液溜部を有する濾液受容体を押し込み自在に装着し、濾液受容体の押し込み操作に伴なって便懸濁液室に没入するフィルタ部と液溜部により便懸濁液室からフィルタ部を通して便懸濁濾液を液溜部に溜める押し込み強制濾過構造を有することにより、濾液受容体を押し込み操作すると、便懸濁液室内に没入したフィルタ部及び液溜部によって排除された便懸濁溶液はその押し込み圧によって重力に逆らって強制的にフィルタ部を通して液溜部に流入し、上向きに開口した液溜部にも濾液が溜められることとなり、この便懸濁濾液を、開口上方からノズルで一定量吸引して分析する一般汎用の自動分析機に直接に容易に取り込むことができる効果がある。
【００２３】
また、本発明は、採便スチックにより採取した糞便を懸濁させる便懸濁溶液を収容した便懸濁液室に、該便懸濁液室内に没入するフィルタ部と液溜部を有する濾液受容体を押し込み自在に装着する一方、前記便懸濁液室と濾液受容体との境界において、便懸濁液室に切破用被膜部を設けると共に、濾液受容体に押し込みと同時に前記切破用被膜部を切り破る切り刃部を設けてなる押し込み強制濾過構造を有することにより、押し込み前には、便懸濁室を切破用被膜部により安全に封鎖しておくことができると共に、濾液受容体を便懸濁液室内に押し込むときに切り刃部で切破用被膜部を破り、フィルタ部と液溜部を円滑に没入させ、便懸濁溶液を重力に逆らって強制的にフィルタ部を通して上方の液溜部に流入させることができる効果がある。
【００２４】
また、本発明は、上記の採便容器において、便懸濁液室の内周と濾液受容体のフィルタ部及び液溜部の外周とが相互に押し込み自在に液密に嵌着する液密押し込み構造を有することを特徴とする押し込み強制濾過構造を有するから、これによって便懸濁液室に濾液受容体のフィルタ部及び液溜部を液密に濾液が押し込み嵌合部から外部に漏出しないように押し込むことができると共に、押し込みに伴って便懸濁液を確実にフィルタ部で濾過して液溜部に溜めることができ、且つ重力によって下方に逆流しないで保持することができる効果がある。
また、本発明は、上記の採便容器において、濾液受容体の便懸濁液室内に没入するフィルタ部と液溜部の上部に押し込み操作部を兼ねた液溜拡張部を設けたことを特徴とする押し込み強制濾過構造を有することにより、液溜拡張部を押し込み操作部として押し込み操作を行うことができると共に、衝撃や振動等により液溜部から便懸濁濾液が外部に漏出する畏れがなくなる効果がある。
【００２５】
また、本発明は、上記の採便容器において、便懸濁液室の外周に係止段筒部とそれに連続して押し込み案内筒部を設ける一方、濾液受容体に、前記係止段筒部の外周に弾性的に嵌着し押し込み操作に伴って外方に拡張する弾性変形を伴って前記係止段筒部を離脱しそれに連続する前記押し込み案内筒部に嵌合する押し込み規制枠部を設けたことを特徴とする押し込み強制濾過構造を有するから、濾液受容体を便懸濁液室の外周に設けた係止段筒部とそれに連続する押し込み案内筒部によって、押し込み自在に案内することができると共に、前記便懸濁液室と濾液受容体との境界において、便懸濁液室の上端部に切破用被膜部を設けることができ、濾液受容体に設けた切り刃部を前記切破用被膜部の近傍に位置せしめて、押し込みと同時に破ることができる押し込みストロークの短い簡素な構成の採便容器を提供することができる効果がある。
【００２６】
また、本発明の採便容器は、係止段筒部に嵌合した位置で濾液受容体に設けた押し込み規制枠部の外周に安全係止環体を装着する構成にすることにより、押し込み規制枠部が弾性変形して外方に拡張するのを阻止し、本発明採便容器を押し込み前の状態で製造、包装、運搬、市販するとき等に、濾液受容体の押し込み規制枠部が係止段筒部から離脱して、便懸濁液室から外れたり、押し込まれたりするのを防止することができると共に、検査時に安全係止環体を取り外して濾液受容体を円滑に容易に押し込み操作することができる押し込み強制濾過構造を有する採便容器を提供することができる効果がある。
また、本発明は、上記の採便容器において、便懸濁液室が円筒状をなし、その一端に設けた濾液受容体がほぼ連続した円筒状をなし、その他端に設けた採便スチックが同様にほぼ連続した円筒状をなし、全体として試験管形状をなすことを特徴とする押し込み強制濾過構造を有することにより、上向きに開口した濾液受容体に収納した便懸濁濾液を、上方からノズルで一定量吸引して検査機に取り込み、光学的な吸光度から濁度を数値的に判定して定量的に便の潜血判定をするような一般的な自動分析機に使用するのに適した採便容器を提供することができる効果がある。
【図面の簡単な説明】
【図１】    本発明に係る採便容器の一実施例の組立状態を縦断して示す概略断面図。
【図２】    その一使用態様を示す概略断面図。
【図３】    その要部の採便容器本体を分割して示す断面図。
【図４】    その要部の濾液受容体を分割して示す断面図。
【図５】    その濾液受容体の平面図。
【図６】    その濾液受容体の低面図。
【図７】    図１の実施例の要部の採便スチックを示す正面図。
【図８】    図１の実施例の一使用態様を示す使用態様説明図。
【符号の説明】
１・・・便懸濁液室
２・・・切破用被膜部
３・・・内段部
４・・・嵌合内筒部
５・・・肩凹段部
６・・・係止段筒部
７・・・押し込み案内筒部
８、９・・・凹段部
１０・・・採便容器本体
１１・・・中間凹部
１２・・・段部
１３・・・押し込み規制枠部
１４、１５・・・嵌合突起
１６・・・終端段部
１７・・・押し込み案内外筒部
１８・・・切欠溝
１９・・・内奥部
２０・・・採便スチック
２１・・・採便部
２２・・・スチック部
２３・・・ネジ部
２４・・・凹部
２５・・・嵌着部
２６・・・取手部
２７・・・空洞部
２８・・・滑り止め部
２９・・・中間段部
３０・・・濾液受容体
３１・・・フィルタ部
３１ａ・・・密フィルタ
３１ｂ・・・粗フィルタ
３２・・・液溜部
３２ａ・・・液溜部の下部
３２ｂ・・・液溜部の上部
３３・・・液溜拡張部
３４・・・切り刃部
３５・・・外周筒部
３６・・・内筒部
３７・・・連通孔
３８・・・密封段部
３９・・・空気抜き用の切欠
４０・・・安全係止環体
４１・・・採便スチック取付筒部
４２・・・区画壁部
４３・・・便掻き取り孔
４４・・・便収容空間部
４５・・・着脱ネジ部
４６・・・保持用突起
４７・・・記録ラベル
【図１】
0003718017.tif 000002
【図２】
0003718017.tif 000003
【図３】
0003718017.tif 000004
【図４】
0003718017.tif 000005
【図５】
0003718017.tif 000006
【図６】
0003718017.tif 000007
【図７】
0003718017.tif 000008
【図８】
0003718017.tif 000009